(57)【要約】【課題】  著作権情報や商品の管理情報等を、人間の目に不可視に印刷物に埋め込む。【解決手段】  写真原稿Ｇを画像読取手段１において読み取ってＲＧＢの画像データＳ０を得る。パターン発生手段２において画像データＳ０に埋め込むビットパターンＰを発生させ、これらをパターン埋込変換手段３に入力する。パターン埋込変換手段３においては、画像データＳ０におけるパターンＰが埋め込まれる部分と、その他の部分とが略条件等色するように画像データＳ０が印刷用の画像データＳ１（ＣＭＹＫ）に変換される。画像データＳ１は印刷手段４において用紙に可視像として印刷される。この印刷物においては、通常光源下においては埋め込んだパターンを視認できないが、特殊な光源下においては埋め込んだパターンを視認できる。【選択図】          図１
2004159349.tif 000002
【特許請求の範囲】
【請求項１】
ＲＧＢ３色からなるカラー画像データを少なくとも４色成分からなるカラー印刷用データに変換する画像変換装置において、
所定のパターンからなるパターンデータを前記カラー印刷用データに埋め込むパターン埋込変換手段であって、前記カラー画像データにおける前記パターンデータが埋め込まれるパターン部分のデータを他の部分のデータと略条件等色させるよう、前記カラー画像データを前記カラー印刷用データに変換しつつ、前記パターンデータを前記カラー印刷用データに埋め込むパターン埋込変換手段を備えたことを特徴とする画像変換装置。
【請求項２】
前記パターン埋込変換手段は、前記パターン部分のデータおよび前記他の部分のデータのそれぞれを、ＲＧＢの色成分を前記カラー印刷用データの色成分に変換する第１および第２の色変換テーブルであって、互いに対応するカラー印刷用データの色成分は異なるが、ＣＩＥ測色値が等色する第１および第２の変換テーブルをそれぞれ参照して変換することにより、前記カラー画像データを前記カラー印刷用データに変換する手段であることを特徴とする請求項１記載の画像変換装置。
【請求項３】
前記カラー印刷用データは、ＣＭＹＫの４色成分データからなり、
前記パターン埋込変換手段は、前記４色成分データのうち少なくともＫデータの値を変更することにより、前記パターン部分のデータと前記他の部分のデータとを略条件等色させる手段であることを特徴とする請求項１または２記載の画像変換装置。
【請求項４】
請求項１から３のいずれか１項記載の画像変換装置により得られた前記カラー印刷用データの印刷部から、前記パターンを読み取る装置であって、
人間の目とは異なる分光感度特性を有する検出手段を備えたことを特徴とするパターン読取装置。
【請求項５】
ＲＧＢ３色からなるカラー画像データを少なくとも４色成分からなるカラー印刷用データに変換する画像変換方法において、
所定のパターンからなるパターンデータを前記カラー印刷用データに埋め込むに際し、前記カラー画像データにおける前記パターンデータが埋め込まれるパターン部分のデータを他の部分のデータと略条件等色させるよう、前記カラー画像データを前記カラー印刷用データに変換しつつ、前記パターンデータを前記カラー印刷用データに埋め込むことを特徴とする画像変換方法。
【請求項６】
請求項５記載の画像変換方法により得られた前記カラー印刷用データの印刷物から、前記パターンを読み取る方法であって、
人間の目とは異なる分光感度特性を有する検出手段により、前記パターンを読み取ることを特徴とするパターン読取方法。
【請求項７】
ＲＧＢ３色からなるカラー画像データを少なくとも４色成分からなるカラー印刷用データに変換する画像変換方法をコンピュータに実行させるためのプログラムにおいて、
所定のパターンからなるパターンデータを前記カラー印刷用データに埋め込むに際し、前記カラー画像データにおける前記パターンデータが埋め込まれるパターン部分のデータを他の部分のデータと略条件等色させるよう、前記カラー画像データを前記カラー印刷用データに変換しつつ、前記パターンデータを前記カラー印刷用データに埋め込む手順を有することを特徴とするプログラム。
【請求項８】
請求項５記載の画像変換方法により得られた前記カラー印刷用データの印刷物から、前記パターンを読み取る方法をコンピュータに実行させるためのプログラムであって、
人間の目とは異なる分光感度特性を有する検出手段により、前記パターンを読み取る手順を有することを特徴とするプログラム。
【発明の詳細な説明】
【技術分野】
【０００１】
本発明は、ＲＧＢ３色からなるカラー画像データを少なくとも４色成分からなるカラー印刷用データに変換する画像変換装置および方法、この画像変換装置および方法により得られたカラー印刷用データの印刷物から埋め込まれたパターンを読み取る方法および装置、並びにこれらの方法をコンピュータに実行させるためのプログラムに関するものである。
【背景技術】
【０００２】
写真原稿を印刷用の原稿として用いる場合には、写真原稿をスキャナ等により読み取ってＲＧＢの３色成分からなるデジタルデータを得、このデジタルデータに基づいて印刷用の分版データを作成する。この分版データの色成分としては、通常印刷の３原色であるＣ（シアン）、Ｍ（マゼンダ）、Ｙ（イエロー）の他に、文字や被写体のシャドウ部分を再現するためにＫを加えた４色の色成分を用いる場合もある。また、色再現域が広い場合や、鮮やかな画像が得られるように印刷を行うたために、Ｇ（グリーン）やＯ（オレンジ）のインクを加えた６色あるいはそれ以上の色成分を用いる場合もある。ここで、ＲＧＢの色成分からなるデジタルデータをＣＭＹＫ（あるいはＣＭＹＧＯＫ）の色成分に変換する場合には、原稿に忠実な色に再現できるように変換パラメータが設定される。この際、印刷の安定性やインクコスト等を考慮して、とくにＫの入れ方を最適化するためのパラメータが種々用いられる。
【０００３】
一方、写真原稿や印刷物そのものは、創作物として価値があることから著作権を有するものであるため、これらの不正な複製を防止する必要がある。また、紙幣、証券あるいは各種のチケット等、印刷物によってはそれ自体が換金可能なものがあり、とくにこのような印刷物は不正な複製を完全に防止する必要がある。しかしながら、安価で高画質の画像を得ることができるカラースキャナやプリンタの普及により、カラー印刷物の複製を容易に行うことができる環境が急速に形成されつつある。
【０００４】
上述したような不正な複製を防止するために、用紙に透かしを入れる方法、ＵＶインクや金属ベルトを埋め込む方法や、マイクロ文字等とくに紙幣の偽造防止を目的とした種々の特殊印刷方法が行われている。
【発明の開示】
【発明が解決しようとする課題】
【０００５】
しかしながら、これらの方法は、その性格上極めて特殊な技術を必要とするため印刷業者が限定され、また印刷コストが高いため、上述した著作権を保護する目的や比較的安価なチケット等においては採算性の面においてこれらの方法を用いることができず、不正な複製に対してほとんど防御策がないというのが現状である。
【０００６】
一方、商品パッケージ等の印刷においては、製造日、ロット番号、あるいは価格等の品質および流通のための商品管理情報を印刷する必要があり、これらは通常文字やバーコードを用いて印刷される。しかしながら、商品管理情報を文字やバーコードとして印刷したのでは、パッケージのデザインの自由度を制限することとなるため、商品管理情報をなるべく目立たないように印刷することが望まれている。
【０００７】
本発明は上記事情に鑑みなされたものであり、不正な複製を防止するための情報や商品管理情報等の種々の情報を、簡易な手法により埋め込んで印刷を行うことができる印刷用データを得る画像変換装置および方法、この画像変換装置および方法により得られた印刷用データの印刷物から埋め込まれた情報を読み取る読取方法および装置、並びにこれらの方法をコンピュータに実行させるためのプログラムを提供することを目的とするものである。
【課題を解決するための手段】
【０００８】
本発明による画像変換装置は、ＲＧＢ３色からなるカラー画像データを少なくとも４色成分からなるカラー印刷用データに変換する画像変換装置において、
所定のパターンからなるパターンデータを前記カラー印刷用データに埋め込むパターン埋込変換手段であって、前記カラー画像データにおける前記パターンデータが埋め込まれるパターン部分のデータを他の部分のデータと略条件等色させるよう、前記カラー画像データを前記カラー印刷用データに変換しつつ、前記パターンデータを前記カラー印刷用データに埋め込むパターン埋込変換手段を備えたことを特徴とするものである。
【０００９】
ここで、「条件等色させるよう変換する」とは、ある観察光源の下では同一の色として知覚されるが、特定の観察光源の下では異なる色として知覚されるようにカラー画像データをカラー印刷用データに変換することをいう。したがって、条件等色のための条件を、通常用いられるような観察光源下ではパターンと他の部分との色の違いを知覚できないが、特殊な観察光源下では両者の色の違いを知覚できるように設定することにより、カラー印刷用データの印刷物を通常光源下において観察した場合にはパターンを視認できないが、特殊な光源下において観察した場合にのみパターンを視認できることとなる。
【００１０】
なお、本発明による画像変換装置においては、前記パターン埋込変換手段を、前記パターン部分のデータおよび前記他の部分のデータのそれぞれを、ＲＧＢの色成分を前記カラー印刷用データの色成分に変換する第１および第２の色変換テーブルであって、互いに対応するカラー印刷用データの色成分は異なるが、ＣＩＥ測色値が等色する第１および第２の変換テーブルをそれぞれ参照して変換することにより、前記カラー画像データを前記カラー印刷用データに変換する手段としてもよい。
【００１１】
また、本発明による画像変換装置においては、前記カラー印刷用データを、ＣＭＹＫの４色成分データからなるものとし、
前記パターン埋込変換手段を、前記４色成分データのうち少なくともＫデータの値を変更することにより、前記パターン部分のデータと前記他の部分のデータとを略条件等色させる手段としてもよい。
【００１２】
本発明によるパターン読取装置は、本発明による画像変換装置により得られた前記カラー印刷用データの印刷部から、前記パターンを読み取る装置であって、
人間の目とは異なる分光感度特性を有する検出手段を備えたことを特徴とするものである。
【００１３】
本発明による画像変換方法は、ＲＧＢ３色からなるカラー画像データを少なくとも４色成分からなるカラー印刷用データに変換する画像変換方法において、
所定のパターンからなるパターンデータを前記カラー印刷用データに埋め込むに際し、前記カラー画像データにおける前記パターンデータが埋め込まれるパターン部分のデータを他の部分のデータと略条件等色させるよう、前記カラー画像データを前記カラー印刷用データに変換しつつ、前記パターンデータを前記カラー印刷用データに埋め込むことを特徴とするものである。
【００１４】
本発明によるパターン読取方法は、本発明による画像変換方法により得られた前記カラー印刷用データの印刷物から、前記パターンを読み取る方法であって、
人間の目とは異なる分光感度特性を有する検出手段により、前記パターンを読み取ることを特徴とするものである。
【００１５】
なお、本発明による画像変換方法およびパターン読取方法を、コンピュータに実行させるためのプログラムとして提供してもよい。
【発明の効果】
【００１６】
本発明によれば、カラー画像データをカラー印刷用データに変換しつつ所定のパターンからなるパターンデータをカラー印刷用データに埋め込む際に、カラー印刷用データにおけるパターン部分のデータを、他の部分のデータと略条件等色させるようにしたため、ある観察光源の下においてカラー印刷用データを印刷することにより得た印刷物を観察するとパターン部分の色と他の部分との色とが同一の色として知覚されることとなるが、特定の観察光源の下ではパターン部分の色は他の部分の色と異なる色として知覚されることとなる。したがって、条件等色のための条件を、通常用いられるような観察光源下ではパターンと他の部分との色の違いを視認できないが、特殊な観察光源下では両者の色の違いを視認できるように設定することにより、上述した不正な複製を防止するための情報や、商品の管理情報を容易に視認できないように印刷物に埋め込むことができる。これにより、パターンをその印刷物の著作権情報とした場合には、不正使用者に知られることなく著作権情報を印刷物に埋め込むことができ、さらに特殊な観察光源下においてそのパターンを読み取ることによりその印刷物の著作権情報を得ることができるため、印刷物の出所等を確認することができる。また、バーコード等の商品管理情報は通常の光源下においては視認できないため、商品パッケージ等のデザイン上の制約がなくなり、これにより自由なデザインを行うことができる。
【発明を実施するための最良の形態】
【００１７】
以下図面を参照して本発明の実施形態について説明する。
【００１８】
図１は本発明の実施形態による画像変換装置を適用した印刷装置の構成を示す概略ブロック図である。図１に示すように、本実施形態による印刷装置は、写真原稿Ｇから画像を読み取ってＲＧＢの３色からなる画像データＳ０を得るスキャナ等の画像読取手段１と、印刷物に埋め込むためのパターンをビットパターンＰとして発生するパターン発生手段２と、画像データＳ０にビットパターンＰを埋め込むとともに画像データＳ０をＣＭＹＫに変換してＣＭＹＫの４色からなりかつビットパターンＰが埋め込まれた印刷用の画像データＳ１を得るパターン埋込変換手段３と、画像データＳ１を用紙に印刷する印刷手段４とを備える。
【００１９】
パターン発生手段２は、画像データＳ０に埋め込むパターンをビットパターンＰとして発生し、これを変調信号としてパターン埋込変換手段３に入力する。ここで、埋め込むパターンとしては、写真原稿Ｇの著作権を表す文字パターンやロゴが挙げられるが、さらに文字パターンについてはこれを暗号化したパターンであってもよい。また、印刷物が商品パッケージである場合には、ビットパターンＰは文字やバーコード等の商品管理情報とされる。
【００２０】
パターン埋込変換手段３は、ＲＧＢの画像データＳ０をＣＭＹＫの印刷用画像データＳ１に変換するが、この変換の際の変換特性がビットパターンＰにより変調され、これにより画像データＳ１にビットパターンＰが埋め込まれる。ここで、パターン埋込変換手段３の詳細な構成を図２に示す。なお、ここでは２値のビットパターンＰを埋め込む場合について説明する。
【００２１】
スイッチ６は、画像データＳ０中のある画素の画素値のＲＧＢからＣＭＹＫへの変換を２つの色変換ＬＵＴ１，２のいずれのＬＵＴにより行うかを選択するものである。この選択は、変換を行う画素に対応するビットパターンＰの値が１であるか０であるかによって、スイッチ６を切り替えることにより行われる。そして、ビットパターンＰの値が０である場合には色変換ＬＵＴ１が選択され、１である場合には色変換ＬＵＴ２が選択されるようにスイッチ６が切り替えられる。
【００２２】
色変換ＬＵＴ１，２はＣＭＹＫ変換ＬＵＴ作成手段７により作成される。ここで、色変換ＬＵＴ１，２により変換されることにより得られるデータＳ２（ＣＭＹＫ）およびデータＳ２′（Ｃ′Ｍ′Ｙ′Ｋ）は、下記の式（１）に示す関係を有する。
【００２３】
Lab{CMYK(RGB)}=Lab{C′M′Y′K′(RGB)}      （１）
但し、Lab{}は、ＣＭＹＫデータに対するプリントされた色のＣＩＥ測色値を与える関数であり、ＣＭＹＫ（）はＲＧＢデータに対するＣＭＹＫデータへの変換式である。
【００２４】
ここで、ＣＭＹＫおよびＣ′Ｍ′Ｙ′Ｋ′は、ＣＭＹＫ変換ＬＵＴ作成手段７において同一の印刷色再現特性記述データＫから計算された、測色値が同一となるデータ対、すなわち条件等色対となっている。したがって、色変換ＬＵＴ１，２により得られる２つのデータＳ２，Ｓ２′は異なるものではあるが、印刷手段４により得られた印刷物上においては同一色に知覚されるものとなる。したがって、画像データＳ０により表される画像上におけるビットパターンＰの部分に対応する画素値を色変換ＬＵＴ２により変換し、ビットパターンＰ以外の部分に対応する画素値を色変換ＬＵＴ１により変換して、データＳ２′およびデータＳ２を得、これらにより画像データＳ１を構成し、画像データＳ１に基づいて印刷手段４において印刷を行うことにより、得られる印刷物においては埋め込まれたパターンは通常人間の目には知覚できないものとなる。
【００２５】
このような条件等色の関係にあるＣＭＹＫデータの組み合わせを、４色オフセット印刷機における色再現特性から求めた例を下記の表１に示す。表１に示す組み合わせは、色温度５０００Ｋの標準観察光源下において等色するように求めたものであり、表１におけるＬａｂの値はこの光源下におけるものである。なお、条件等色するＣＭＹＫデータの組み合わせは表１に示すもののみならず、他にも種々の組み合わせを用いることが可能である。
【表１】
2004159349.tif 000003
【００２６】
なお、ＣＭＹＫ変換ＬＵＴ作成手段７におけるＬＵＴの作成時に、変調強度のパラメータＨを指定することにより、埋め込むビットパターンＰの変調強度を変更することが可能である。例えば、ＣＭＹＫデータとして上記表１に示すデータＡを、Ｃ′Ｍ′Ｙ′Ｋ′データとしてデータＢを用いれば、ビットパターンＰの変調強度は比較的少ないものとなる。したがって、このような条件とすることにより、観察光源が多少変化してもビットパターンＰが容易に視認されないため、不可視性を重視する用途に適したものとなる。一方、ＣＭＹＫデータとして上記表１に示すデータＡを、Ｃ′Ｍ′Ｙ′Ｋ′データとしてデータＣを用いれば、ビットパターンＰの変調強度は比較的大きいものとなる。したがって、このような条件とすることにより、標準光源下においては埋め込まれたビットパターンＰは視認できないが、異なる光源下においてはパターンＰを検出し易くなる。したがって、検出性を重視する用途に適したものとなる。
【００２７】
また、ビットパターンＰが多値の場合には、そのビット値を変調強度として使用すればよい。この場合、ビットパターンＰを変調強度パラメータＨとしてＣＭＹＫ変換ＬＵＴ作成手段７に入力し、その値が大きければ条件等色群のうちＫ値の大きなデータを選択し、その値が小さくなればそれに比例してＫ値の小さなデータを選択することにより、ビットパターンＰに応じた階調を有するパターンを埋め込むことが可能となる。
【００２８】
次いで、第１の実施形態の動作について説明する。図３は第１の実施形態において行われる処理を示すフローチャートである。まず、画像読取手段１において写真原稿Ｇを読み取り、ＲＧＢの画像データＳ０を取得する（ステップＳ１）。一方、パターン発生手段２においては埋め込むビットパターンＰが発生される（ステップＳ２）。そして、画像データＳ０およびビットパターンＰがパターン埋込変換手段３に入力される（ステップＳ３）。パターン埋込変換手段３においては、ＣＭＹＫ変換ＬＵＴ作成手段７にて、ビットパターンＰおよび変調強度パラメータＨに基づいて色変換ＬＵＴ１、ＬＵＴ２が作成される（ステップＳ４）。そして、画像データＳ０がビットパターンＰに応じてビットパターンＰに対応する画素については色変換ＬＵＴ２により画像データＳ２′（Ｃ′Ｍ′Ｙ′Ｋ′）に変換され、ビットパターンＰに対応しない画素については色変換ＬＵＴ１により画像データＳ２（ＣＭＹＫ）に変換される（ステップＳ５）。そして、画像データＳ２，Ｓ２′によりビットパターンＰが埋め込まれた画像データＳ１（ＣＭＹＫ）が作成される（ステップＳ６）。このように作成された画像データＳ１は印刷手段４に入力され、ここで用紙に可視像として印刷される（ステップＳ７）。
【００２９】
このように得られた印刷物は、通常の光源下においては埋め込まれたパターンを視認することができないが、人間の目とは異なる分光感度特性を有する読取装置により読み取ることにより、埋め込んだビットパターンＰを検出することができる。このような読取装置としては、例えば３波長型蛍光灯を読取光源としてＣＣＤにより検出する装置、ＬＥＤ光源を用いた装置、あるいは赤外域に感度を有するセンサを用いたスキャナ等種々の装置を用いることができる。
【００３０】
このように本実施形態によれば、画像データＳ０（ＲＧＢ）を印刷用の画像データＳ１（ＣＭＹＫ）に変換する際に、埋め込むビットパターンＰに対応する画素を他の部分の画素と条件等色させて変調するようにしたため、ある観察光源の下において印刷物を観察するとパターン部分の色と他の部分との色とが同一の色として知覚されることとなるが、特定の観察光源の下ではパターン部分の色は他の部分の色と異なる色として知覚されることとなる。したがって、通常の光源下においては、埋め込んだビットパターンＰを視認することができないが、特殊な光源下においてのみそのビットパターンＰを視認することができることとなり、その結果、不正な複製を防止するための情報や、商品の管理情報を容易に知覚できないように印刷物に埋め込むことができることとなる。これにより、パターンＰをその印刷物の著作権情報とした場合には、不正使用者に知られることなく著作権情報を印刷物に埋め込むことができ、さらに特殊な観察光源下においてそのパターンＰを読み取ることによりその印刷物の著作権情報を得ることができるため、印刷物の出所等を確認することができる。また、バーコード等の商品管理情報は通常の光源下においては視認することができないため、商品パッケージ等のデザイン上の制約がなくなり、これにより自由なデザインを行うことができる。
【００３１】
次いで、本発明の第２の実施形態について説明する。第２の実施形態は、画像データＳ０にその著作権情報や画像管理情報等の付帯情報Ｆを深層暗号化していわゆる電子透かしとして埋め込むことにより、情報が埋め込まれた画像データＳ０′を得、この画像データＳ０′に基づいて印刷を行うに際し、画像データＳ０′から付帯情報Ｆを読み出し、この付帯情報をビットパターンとして画像データＳ０′に埋め込むとともにＣＭＹＫ変換して、印刷用の画像データＳ１′（ＣＭＹＫ）を得るものである。
【００３２】
図４は本発明の第２の実施形態において用いられる画像データに付帯情報を埋め込む装置の構成を示す概略ブロック図である。図４に示すようにこの装置は、写真原稿Ｇを読み取ることにより上記第１の実施形態と同様に画像データＳ０（ＲＧＢ）を得る画像読取手段１と、画像データＳ０に埋め込む付帯情報Ｆを発生する付帯情報発生手段１０と、画像データＳ０に付帯情報Ｆを深層暗号化して埋め込んで、付帯情報Ｆが埋め込まれた画像データＳ０′を得る埋込手段１１とを備える。
【００３３】
ここで、埋込手段１１において行われる付帯情報Ｆを画像データＳ０に深層暗号化して埋め込む手法としては、例えば、特開平８−２８９１５９号、同１０−１０８１８０号、同９−２１４６３６号等に記載された手法が知られている。この手法は、データの冗長な部分に認証情報や著作権情報を埋め込むことにより、画像データを再生しただけでは埋め込まれている情報を確認することはできないが、その情報を読み出すための装置やソフトウエアを用いることにより、データに埋め込まれている情報を読み出して表示等することができるものである。この深層暗号化については種々の文献にその詳細が記載されている（例えば、「電子透かし、松井甲子雄、O plus E No.213,1997年８月）。
【００３４】
このような深層暗号化の手法として、画素空間利用型、量子化誤差利用型、周波数領域利用型等種々の手法が知られている。画素空間利用型は対象画素の近傍の例えば３×３画素の平面を取り出し、この周囲８ビットに付帯情報を埋め込む方法である。量子化誤差利用型は、画像データを圧縮する過程において発生する量子化誤差に着目し、付帯情報のビット系列の０，１で量子化出力を偶数と奇数とに制御して見かけ上量子化ノイズとして付帯情報を画像データに埋め込む方法である。この量子化誤差利用型については、「画像深層暗号」（松井甲子雄、森北出版、１９９３年）にその詳細が記載されている。周波数領域利用型は、画像領域上において視覚的に鈍感な周波数領域に付帯情報を埋め込む方法である。例えば、画像中の高周波成分は視覚的に鈍感な領域であるため、画像データを複数の周波数帯域に分解し、高周波帯域に付帯情報を埋め込み、さらに画像データに再構成することにより付帯情報を埋め込むことができる。また、人間の視覚特性としては、色差や彩度情報は一般に輝度情報よりも階調識別能力が低下し、輝度と色差あるいは彩度情報との差の部分に見えない記録が可能となる領域が存在する。したがって、この領域に付帯情報を埋め込むこともできる。
【００３５】
他にも、画像としてＳ／Ｎの悪いビットプレーンにノイズの冗長に紛れさせて付帯情報を埋め込む方法や、一定の範囲の画素ブロック（空間）における情報変化の冗長性に埋め込む方法、データ圧縮を行う際に符号化によりデータ情報量が縮退する場合の量子化誤差に埋め込む方法等が挙げられる。
【００３６】
図５は、第２の実施形態による印刷装置の構成を示す概略ブロック図である。図５に示すように、第２の実施形態による印刷装置は、図４に示す装置により得られた画像データＳ０′から付帯情報Ｆを読み出して、付帯情報Ｆおよび付帯情報Ｆが分離された画像データＳ０″を得る付帯情報読出手段１２と、画像データＳ０″に付帯情報Ｆをビットパターンとして埋め込むとともに画像データＳ０″をＣＭＹＫに変換してＣＭＹＫの４色からなりかつ付帯情報Ｆが埋め込まれた印刷用の画像データＳ１′を得るパターン埋込変換手段３と、画像データＳ１′を用紙に印刷する印刷手段４とを備える。
【００３７】
なお、パターン埋込変換手段３は第１の実施形態において説明したものと同様に、付帯情報Ｆをビットパターンとして画像データＳ０′に埋め込むものである。
【００３８】
次いで、第２の実施形態の動作について説明する。図６は第２の実施形態において行われる処理を示すフローチャートである。まず、画像読取手段１において写真原稿Ｇを読み取り、ＲＧＢの画像データＳ０を取得する（ステップＳ１１）。一方、付帯情報発生手段１０においては画像データＳ０に深層暗号化して埋め込むための付帯情報Ｆが発生される（ステップＳ１２）。そして、埋込手段１１において付帯情報Ｆが深層暗号化されて画像データＳ０に埋め込まれ、付帯情報Ｆが埋め込まれた画像データＳ０′が得られる（ステップＳ１３）。
【００３９】
次に、印刷装置において、画像データＳ０′が付帯情報読出手段１２に入力され、画像データＳ０′に深層暗号化して埋め込まれた付帯情報Ｆが読み出されるとともに付帯情報Ｆが分離された画像データＳ０″が取得される（ステップＳ１４）。付帯情報Ｆおよび画像データＳ０″はパターン埋込変換手段３に入力される（ステップＳ１５）。パターン埋込変換手段３においては、ＣＭＹＫ変換ＬＵＴ作成手段７にて、付帯情報Ｆおよび変調強度パラメータＨに基づいて色変換ＬＵＴ１、ＬＵＴ２が作成される（ステップＳ１６）。そして、画像データＳ０″が付帯情報Ｆに対応する画素については色変換ＬＵＴ２により画像データＳ２′（Ｃ′Ｍ′Ｙ′Ｋ′）に変換され、付帯情報Ｆに対応しない画素については色変換ＬＵＴ１により画像データＳ２（ＣＭＹＫ）に変換される（ステップＳ１７）。そして、画像データＳ２，Ｓ２′により付帯情報Ｆが埋め込まれた画像データＳ１′（ＣＭＹＫ）が作成される（ステップＳ１８）。このように作成された画像データＳ１′は印刷手段４に入力され、ここで用紙に可視像として印刷される（ステップＳ１９）。
【００４０】
このように第２の実施形態においても、画像データＳ０′（ＲＧＢ）を印刷用の画像データＳ１′（ＣＭＹＫ）に変換する際に、埋め込む付帯情報Ｆに対応する画素を他の部分の画素と条件等色させて変調するようにしたため、ある観察光源の下において印刷物を観察しても付帯情報部分の色と他の部分との色とが同一の色として知覚されることとなるが、特定の観察光源の下では付帯情報部分の色は他の部分の色と異なる色として知覚されることとなる。したがって、通常の光源下においては、埋め込んだ付帯情報Ｆを視認することができないが、特殊な光源下においてのみその付帯情報Ｆを視認することができることとなり、その結果、不正な複製を防止するための情報や、商品の管理情報を容易に知覚できないように印刷物に埋め込むことができることとなる。
【００４１】
また、画像データＳ０′には付帯情報Ｆが埋め込まれているため、画像データＳ０′を再生した場合、画像品質としては付帯情報Ｆがノイズとして現れ、画質が劣化したものとなってしまう。これに対して、第２の実施形態においては、画像データＳ０′から付帯情報Ｆを分離し、付帯情報Ｆが分離された画像データＳ０″に付帯情報Ｆをビットパターンとして埋め込むとともに、印刷用の画像データＳ１′に変換するようにしたため、付帯情報Ｆがノイズとして現れることがなくなり、これにより、高画質の印刷画像を得ることができる。
【００４２】
なお、上記第１および第２の実施形態においては、ＣＭＹＫの４色にて印刷を行う場合について説明したが、オレンジ（Ｏ）およびグリーン（Ｇ）を加えたＣＭＹＧＯＫの６色にて印刷を行う場合にも、上記と同様にビットパターンＰを埋め込むことができる。この場合、例えばＣＹとＧとの比率を変更する、あるいはＭＹとＯとの比率を変更することにより、条件等色させてビットパターンＰを埋め込むことができるが、上記表１に示すようにＫ値を変更することにより条件等色させることも可能である。
【図面の簡単な説明】
【００４３】
【図１】本発明の第１の実施形態による画像変換装置を適用した印刷装置の構成を示す概略ブロック図
【図２】パターン埋込変換手段の詳細な構成を示す概略ブロック図
【図３】第１の実施形態において行われる処理を示すフローチャート
【図４】本発明の第２の実施形態において用いられる画像データを得るための付帯情報埋込装置の構成を示す概略ブロック図
【図５】本発明の第２の実施形態による印刷装置の構成を示す概略ブロック図
【図６】第２の実施形態において行われる処理を示すフローチャート
【符号の説明】
【００４４】
１    画像読取手段
２    パターン発生手段
３    パターン埋込変換手段
４    印刷手段
６    スイッチ
７    ＣＭＹＫ変換ＬＵＴ作成手段
１０  付帯情報発生手段
１１  埋込手段
１２  付帯情報読出手段
【図１】
2004159349.tif 000004
【図２】
2004159349.tif 000005
【図３】
2004159349.tif 000006
【図４】
2004159349.tif 000007
【図５】
2004159349.tif 000008
【図６】
2004159349.tif 000009